(57)【要約】【課題】トラックに記録されたデータに付加する付加情報の編集等を、効率の良いメモリー管理により実現する。【解決手段】データ入力手段１からの映像あるいは音声などのデータを記録メモリー手段６にトラック単位で記録する際に、トラックに付加するタイトル等の付加情報を、制御手段１２内のメモリー手段８を用いて編集および確定する。確定した付加情報の対応するトラックが、記録メモリー手段６に存在するか否かを問わず、記録メモリー手段６に付加情報を格納する。その後、制御手段１２は、付加するトラックの記録が完了した後の任意のタイミングで、記録メモリー手段６に格納している付加情報を一旦読み出し、記録メモリー手段６内のトラック管理情報に反映する。これにより、付加情報の編集をトラック記録とは独立に行うことができ、また、メモリー手段８の容量も少なく実現することができる。【選択図】  図１
2004318944.tif 000002
【特許請求の範囲】
【請求項１】
記録メモリー手段にデータをトラック単位で記録すると共に、記録される各トラックに付加する付加情報を編集可能な記録装置であって、
付加情報の編集が確定する毎に、付加情報を前記記録メモリー手段に格納する制御手段を備え、
前記制御手段は、付加情報に対応するトラックが前記記録メモリー手段に存在するか否かに関わらずに付加情報を格納し、対応するトラックの記録終了後、任意のタイミングで格納された付加情報を読み出し、前記記録メモリー手段内のトラック管理情報に反映させることを特徴とする記録装置。
【請求項２】
前記制御手段は、記憶手段を有し、
１トラック分の付加情報の編集が確定する毎に、前記記録メモリー手段に付加情報を格納すると共に、格納した付加情報のファイルへのポインタ情報を前記記憶手段に格納し、当該付加情報を読み出す時に前記ポインタ情報を参照することを特徴とする請求項１記載の記録装置。
【請求項３】
前記制御手段は、１トラック分の付加情報の編集が確定され前記記録メモリー手段に前記付加情報を格納する際に、前記付加情報のファイル名に、対応するトラックの番号を付与し、当該付加情報を読み出す時に前記ファイル名を検索することを特徴とする請求項１記載の記録装置。
【請求項４】
前記制御手段は、入力されるデータのトラック数を取得する手段を有し、
前記付加情報を付加するトラック数を、前記取得したトラック数に制限することを特徴とする請求項１記載の記録装置。
【請求項５】
前記制御手段は、入力されるデータの記録を新たに開始する場合に、前記記録メモリー手段に記録されている付加情報を全て削除することを特徴とする請求項１記載の記録装置。
【発明の詳細な説明】
【０００１】
【発明の属する技術分野】
本発明は、データを所定の記録媒体に記録すると共に、そのデータに付加する付加情報を編集し、データに付加できる記録装置に関するものである。
【０００２】
【従来の技術】
近年、記録装置として、映像信号や音声信号などのデータを所定の単位であるトラック毎に記録する際に、このトラックに対して付加情報を作成し付加するものが知られている。例えば、デジタルＶＴＲにおいて、付加情報としての文字情報を記録する例として、特許文献１がある。
【０００３】
また、記録装置に用いる記録媒体は、磁気テープの他にも、光ディスク、半導体メモリーなど多種多様なものが実用化されており、付加情報の付加の方法も色々と考えられる。
【０００４】
例えば、記録済みのトラック（あるいはファイル）に対して、タイトル等の付加情報を作成し付加する際、ユーザーが装置内の記憶手段を用いて付加情報を編集した後、確定された付加情報を直接、記録媒体内のトラック管理情報を更新することで、付加情報を各トラックに付加することができる。また、編集可能な付加情報のデータ量は、装置内の記憶手段の容量により制限される。そのため、編集可能な付加情報を制限するか、もしくは記憶手段の容量を十分大きなものにする必要がある。
【０００５】
【特許文献１】
特開平７−７５０４９号公報
【０００６】
【発明が解決しようとする課題】
このような記録装置においては、データを記録実行中のトラックあるいは記録開始前のトラックに付加する付加情報の編集は、データ記録によってトラックが確定しなければ実行することができなかった。また、複数のトラックに付加する付加情報を編集する時は、全ての情報を一旦記憶しておくために、十分なメモリー容量を確保しておくことが必要であった。
【０００７】
本発明は、記録実行中、記録開始前のトラックに付加する付加情報を、少ない内部メモリーで編集でき、かつ使い勝手の良い記録装置を提供することを目的とする。
【０００８】
【課題を解決するための手段】
この課題を解決するために本発明の記録装置は、記録メモリー手段にデータをトラック単位で記録すると共に、記録される各トラックに付加する付加情報を編集可能な記録装置であって、付加情報の編集が確定する毎に、付加情報を記録メモリー手段に格納する制御手段を備え、制御手段は、付加情報に対応するトラックが記録メモリー手段に存在するか否かに関わらずに付加情報を格納し、対応するトラックの記録終了後、任意のタイミングで格納された付加情報を読み出し、記録メモリー手段内のトラック管理情報に反映させるものである。
【０００９】
これにより、記録メモリー手段にトラックが存在するか否かに関わらずに、付加情報の編集を行うことができるので、データを記録中あるいは記録前の時間を有効に利用して、付加情報の編集を効率よく、連続して行える。また、１トラック分の付加情報の編集が終了する毎に記録メモリー手段に付加情報を記録するので、制御手段が使用する記憶手段（メモリー）の容量を削減することができる。
【００１０】
【発明の実施の形態】
本発明の請求項１に記載の発明は、記録メモリー手段にデータをトラック単位で記録すると共に、記録される各トラックに付加する付加情報を編集可能な記録装置であって、付加情報の編集が確定する毎に、付加情報を前記記録メモリー手段に格納する制御手段を備え、前記制御手段は、付加情報に対応するトラックが前記記録メモリー手段に存在するか否かに関わらずに付加情報を格納し、対応するトラックの記録終了後、任意のタイミングで格納された付加情報を読み出し、前記記録メモリー手段内のトラック管理情報に反映させることを特徴とする記録装置としたものである。これにより、記録中または記録前の時間を有効に利用して、１以上のトラックに付加する付加情報を編集、作成することができ、また、記録メモリー手段に付加情報を格納するため、制御手段が使用する一時的なメモリーは１トラック分の付加情報を編集するために必要なメモリー容量のみを確保すれば良いため、少ないメモリー容量で効率よく編集が行えるという作用を有する。
【００１１】
また、本発明の請求項２に記載の発明は、請求項１に係る発明において、前記制御手段は、記憶手段を有し、１トラック分の付加情報の編集が確定する毎に、前記記録メモリー手段に付加情報を格納すると共に、格納した付加情報のファイルへのポインタ情報を前記記憶手段に格納し、当該付加情報を読み出す時に前記ポインタ情報を参照することを特徴とするものである。これにより、１トラック分のデータ記録が終了した後に、該当のトラックに付加する情報を記録メモリー手段から読み出しを行うが、その時に、ポインタ情報を参照することにより、付加情報の参照を効率よく行うことができるという作用を有する。
【００１２】
また、本発明の請求項３に記載の発明は、請求項１に係る発明において、前記制御手段は、１トラック分の付加情報の編集が確定され前記記録メモリー手段に前記付加情報を格納する際に、前記付加情報のファイル名に、対応するトラックの番号を付与し、当該付加情報を読み出す時に前記ファイル名を検索することを特徴とするものである。これにより、制御手段が使用する一時的なメモリー内に付加情報を参照するための参照情報を削減することができ、また、ファイル名を元に効率よく記録メモリー手段に格納した付加情報を参照、または存在を確認することができるという作用を有する。
【００１３】
また、本発明の請求項４に記載の発明は、請求項１に係る発明において、前記制御手段は、入力されるデータのトラック数を取得する手段を有し、前記付加情報を付加するトラック数を、前記取得したトラック数に制限することを特徴とするものである。これにより、作成する付加情報の数を予め決定することができるため、不要な付加情報の作成を防げるという作用を有する。
【００１４】
また、本発明の請求項５に記載の発明は、請求項１に係る発明において、前記制御手段は、入力されるデータの記録を新たに開始する場合に、前記記録メモリー手段に記録されている付加情報を全て削除することを特徴とするものである。これにより、記録メモリー手段内に格納した付加情報が処理される前に、新たなデータ記録が開始された時に、誤って前回の記録時に作成された付加情報をトラックに付加してしまうという不具合を防げるという作用を有する。
【００１５】
以下、本発明の実施の形態について、図面を用いて説明する。
【００１６】
（実施の形態１）
図１は、本発明の実施の形態１における記録装置のシステム構成を示すブロック図である。
【００１７】
図１において、１はデータが入力されるデータ入力手段、２はデータ入力手段１からのデータをエンコードするエンコーダ、３はエンコーダ２からのデータを記録するための制御を行うデータ記録制御手段、４は第１のカード読み書き制御手段、５は第２のカード読み書き制御手段、６は記録メモリー手段である。記録メモリー手段６は、メモリーカードなどの着脱式メモリーや、半導体プレーヤなどに実装されている固定メモリーなどの非着脱式メモリーも含む、データ蓄積メモリーを示す。
【００１８】
また、１２はマイクロコンピュータなどを示す制御手段であり、７のデータ記録状態監視手段、８のメモリー手段、９の入力検出手段、１０の表示制御手段、１１のメモリー制御手段を備えている。このメモリー手段８は、制御手段１２で直接制御するメモリーのことを示す。また、１３は入力手段、１４は表示手段である。
【００１９】
エンコーダ２は、本実施の形態ではデータ圧縮を行う構成とするが、他にデータを所定の処理により変換する構成も含む。その場合は、トラックという概念は、データを記録する単位として認識されるものとする。
【００２０】
以上のように構成された記録装置について、以下その動作について説明する。まず、データ入力手段１に入力されたデータは、エンコーダ２によりエンコードされ、データ記録制御手段３によりトラック毎に管理され第１のカード読み書き制御手段４により記録メモリー手段６に記録される。ここで言うデータ入力手段１に入力されるデータは、音声データや映像データなどのストリームデータなどを示す。データ記録制御手段３では入力されるストリームに対して、制御手段１２からの記録停止、記録開始といったような指示を検出することによりトラックを切り換える制御を行う、もしくは、ストリーム状態を監視する。ストリーム状態の監視とは、例えば入力が音声データの場合、その曲間を検出するなどによって、入力される一連のストリームデータのトラックの切れ目を識別し、記録データのトラックを切り換える制御を行うものである。また、このデータ記録制御手段３でトラックを切り変えたタイミングをデータ記録状態監視手段７により検出し、新しいトラックの作成が完了したことを認識し、当該トラックに付加する付加情報に対して、後述する記録メモリー手段６に格納されているトラック付加情報を読み出しトラック管理情報へ反映する処理を行うものである。
【００２１】
ここで、付加情報とは、例えばトラックタイトル、記録されている曲のアーティスト名、コーデック情報、ビットレート情報などのようなトラック毎に付加される情報である。
【００２２】
一方、前述のデータ記録中もしくはデータ記録前において、入力手段１３からの情報を入力検出手段９により検出し、それに応じて各々のトラックに付加する付加情報を、メモリー手段６を一時的な記憶手段として用いて編集する。編集が確定するとメモリー制御手段１１により編集確定した付加情報をメモリー手段８から読み込み、それを第２のカード書き込み制御手段５を通して記録メモリー手段６に書き込みを行う。その後引き続き、メモリー手段８を用いて次のトラックに対する付加情報の編集を行うことができる。
【００２３】
前述の付加情報を編集する対象のトラックは、現在記録中もしくはこれから記録するトラックに対して付加する情報であり、付加情報の作成時点で記録メモリー手段６に存在するか否かに関係なく作成を行う。従って、例えばこれから記録される曲に付加するタイトルをデータの記録開始と同時に１曲目タイトル入力、２曲目タイトル入力、３曲目タイトル入力、・・・といったように、記録状態を意識せずに順番に連続して作成していくことができる。
【００２４】
また、第２のカード読み書き制御手段５を通して記録する記録メモリー手段６は、データ記録制御手段３により第１のカード読み書き制御手段４によりデータ記録を行う媒体と同じ記録メモリー手段６とする。
【００２５】
その後、データ記録制御手段３により１トラック分のデータ記録が完了した後、任意のタイミングにおいて、その対象のトラックに付加する付加情報を記録メモリー手段６より読み出し、同じ記録メモリー手段６に存在するトラック管理情報に反映することにより、最終的な付加を行う。トラック管理情報とは、実際に記録したデータを再生する時に参照されるトラックの管理情報で、付加情報もこの情報に含まれる。例えば再生時に再生するトラックの付加情報であるトラックタイトル情報を、トラック管理情報内のトラックタイトル情報を参照してタイトル表示を行うといった動作になる。従って、トラック管理情報に付加情報を反映するということは再生時に参照可能になるようにカード記録の規格に対応した形式で付加情報を書き込むということである。
【００２６】
前記のメモリー制御手段１２は、実際はマイコンで使用するＲＡＭなどを示し、このメモリー容量はマイコンの品種により決まっている。例えばトラックタイトルを編集する際に、カード規格上１トラックに最大２５６バイト、カードに最大９９９トラック記録できるとした場合、全ての情報を保持しておくためには２５５７４４バイト（２５６×９９９バイト）の容量のＲＡＭが必要となり、容量の大きい高価格の品種のマイコンを選定するか、保持するトラック数を制限するように商品仕様上の制約を設けることが必要になってしまう。しかし、本発明では、１トラック分の付加情報の編集が確定すると、記録メモリー手段６に付加情報を書き込み保管するため、メモリー手段８には、最低１つのトラック分の付加情報を編集するメモリー容量を確保しておけば良いことになり、メモリー容量の少ない安価なマイコンを使用することができるようになる。
【００２７】
また、トラック管理情報内の付加情報が格納されるメモリー領域が、付加情報を付加する時のみ確保されるようなカード記録規格の場合、編集済みの管理情報を一旦記録メモリー手段６に記録してからトラック管理情報に反映するため、編集確定時点であらかじめ記録メモリー手段６内の領域を確保しておき、トラック管理情報に反映するときに、記録メモリー手段６からメモリー手段８に読み出した後、その読み出した付加情報を削除し、トラック管理情報に付加情報の書き込みを行うことで、カード残量が無くなってきた時に付加情報の編集を確定できたが、残量が無いためトラック管理情報に反映できないという不具合を防ぐことができる。
【００２８】
また、前記の付加情報の編集は、入力検出手段９より、操作キーなどの入力手段１３からのユーザ操作を検出し、メモリー制御手段１１により編集途中の情報を、表示制御手段１０を通してＬＣＤ表示器などの表示手段１４に表示する。このようにユーザに情報を提示し行う編集のような構成や、他のマイコンとの通信ラインを入力手段１３として、入力検出手段９により通信制御をし、メモリー制御手段１１により情報を編集して付加情報を作成する構成なども含む。
【００２９】
次に、付加情報とトラックとの対応について、具体的な例を示し説明する。図２および図３は、付加情報のメモリー管理を示す概念図であり、異なる２つの方法を示している。
【００３０】
図２における１０１及び図３における２０１はメモリー手段であり、図１におけるメモリー手段８を示す。図２における１０２及び図３における２０２は記録メモリー手段であり、図１における記録メモリー手段６を示す。このメモリー管理を示す図２，３は、付加情報の編集が確定した後、記録メモリー手段に各トラックに対して付加する付加情報を格納するが、それを読み出す際に効率よく参照できるように、参照情報を示したものである。
【００３１】
まず、図２に示すものは、記録メモリー手段１０２に格納した各トラックに対する付加情報の格納先アドレスなどのポインタ情報を、メモリー手段１０１内の各トラックに対するポインタ情報として格納しておくように構成したものである。この場合は、メモリー手段１０１の情報が格納されている場所を検索する必要は無いためデータアクセスを速くすることができるが、データ内容をチェックして参照したい付加情報であるかどうかを確認する必要がある。
【００３２】
次に、図３に示すものは、記録メモリー手段２０２に格納する付加情報を格納するファイル名を、付加するトラックの番号を付けたファイル名にするものである。この場合は、付加情報を読み出す時は、記録メモリー手段２０２内のファイル検索をする必要があるため、データアクセスは若干遅くなるが、参照先のデータが存在するかの有無の確認が容易にできることになる。また、必ず昇順に連続してトラックが記録される場合は、メモリー手段２０１内に確保する参照情報としては編集開始トラック番号とトラック数のみで管理できるため、メモリー手段２０１で使用する容量を削減することができる。
【００３３】
これらの付加情報を読み出す時に、記録メモリー手段はメモリーカードなどの着脱可能メモリーの場合もあるため、記録途中でカードが抜かれたり、何らかの要因で前回記録時に保管された付加情報が残ってしまう場合がある。その場合、そのまま前記の付加情報のトラック管理情報への反映を行ってしまうとトラックへ意図しない付加情報を付加してしまう不具合が発生する。そこで、データ記録を開始する前に、記録メモリー手段内の既に記録されている付加情報を全て削除する処理を行うことで、誤って前に編集された付加情報を使用しないようにすることで不具合を防ぐことができる。
【００３４】
以上のように本実施の形態によれば、記録中もしくは記録前の時間を有効に利用して、１以上のトラックに付加する付加情報を編集作成することができるといったユーザに便利な機能を提供でき、また、付加情報をメモリーの使用効率よく編集できることとなる。
【００３５】
（実施の形態２）
次に、図４は本発明の実施の形態２における記録装置のシステム構成を示すブロック図である。
【００３６】
図４において、図１と同じ構成要素には同じ符号を付し、その説明については省略する。また、３０１は再生したデータをデータ入力手段１に出力するデータ再生手段、３０２はデータ再生手段３０１からの再生に関わる情報を取得するトラック数取得手段である。
【００３７】
以上のように構成された記録装置について、以下その動作について説明する。図４において、データ再生手段３０１は、再生メディアを再生する手段であり、例えばＣＤプレーヤや、ＭＤプレーヤなどを示すものである。再生メディアに記録されているトラックのうち、再生するトラックを決定するのは、データ再生手段３０１である。この決定された再生トラック情報をトラック数取得手段３０２により取得し、メモリー制御手段１１で編集する付加情報の数を、取得したトラック数以内に制限して編集することができる。これにより不要な編集を行わないようにできる。
【００３８】
また、データ再生手段３０１から得られる再生トラックに係る情報として、トラック数を扱う場合について述べたが、これに限るものではない。よって、トラック数取得手段３０２に代えて、種々の情報を扱う手段とすることができる。
【００３９】
また、データ再生手段３０１は、上記の例に限るものではなく、再生メディアも磁気ディスク、光ディスク、光磁気ディスク、磁気テープ、半導体メモリーなど、如何なるものであってもよい。
【００４０】
以上のように本実施の形態によれば、実施の形態１に述べた効果に加え、編集作業を行う付加情報の数を自動的に決定することができるので、編集作業自体を効率よく行うことができる。
【００４１】
なお、上記した各実施の形態は、ハードウェアとして実施しても、ソフトウェアとして実施しても差し支えない。また、ソフトウェアとして実施する際は、マイクロコンピュータ等で処理可能なプログラムの態様として実現可能なことは言うまでもない。
【００４２】
【発明の効果】
以上のように本発明によれば、記録中もしくは記録前の時間を有効に利用して１以上のトラックに付加する付加情報を連続して編集作成することができる。また、付加情報の作成の際にマイコンなどの制御手段で使用するメモリー容量が少なくて良く、効率よくメモリーを管理することができるという有利な効果が得られる。
【図面の簡単な説明】
【図１】本発明の実施の形態１による記録装置のシステム構成を示すブロック図
【図２】同記録装置における付加情報のメモリー管理を示す概念図
【図３】同記録装置における付加情報のメモリー管理を示す概念図
【図４】本発明の実施の形態２による記録装置のシステム構成を示すブロック図
【符号の説明】
１  データ入力手段
２  エンコーダ
３  データ記録制御手段
４  第１のカード読み書き制御手段
５  第２のカード読み書き制御手段
６、１０２、２０２  記録メモリー手段
７  データ記録状態監視手段
８、１０１、２０１  メモリー手段
９  入力検出手段
１０  表示制御手段
１１  メモリー制御手段
１２  制御手段
１３  入力手段
１４  表示手段
３０１  データ再生手段
３０２  トラック数取得手段
【図１】
2004318944.tif 000003
【図２】
2004318944.tif 000004
【図３】
2004318944.tif 000005
【図４】
2004318944.tif 000006